(57)【特許請求の範囲】
【請求項１】
基材の片面に第１の回路を備え、反対側の面に第２の回路を備え、両回路はＩＣ回路を介して連続している小型両面回路の形成方法であって、４つのバンプ（Ａ，Ｂ，イ，ロ）を備え、そのうちの一対のバンプ（イ，ロ）は互いに電気的に接続されており、残り一対のバンプ（Ａ，Ｂ）の各々はその端子部につながるＩＣチップを用い、第１の回路の一方の端末をＩＣチップの端子部につながる一対のバンプのうちの一つ（Ａ）に接続し、他方の端末を前記互いに電気的に接続された一対のバンプのうちの一つ（イ）に接続し、第２の回路の一方の端末をＩＣチップの端子部につながる一対のバンプのうちの残りの一つ（Ｂ）に接続し、他方の端末を前記互いに電気的に接続された一対のバンプのうちの残りの一つ（Ｂ）に接続することを特徴とする小型両面回路の形成方法。
【請求項２】
フレキシブル基板の両面に金属層を積層してなる母材を用意し、フォトエッチング法により一方の面に第１の回路を形成すると共に反対側の面に第２の回路を形成し、第１の回路の両端末に対応する位置に反対面側から前記端末に至るスルーホールをドライエッチングまたはウェットエッチングのうちの何れかの方法により形成し、第２の回路を設けた側からＩＣチップを、ＩＣチップの電極パッド上に形成されたバンプの一つはスルーホールを介して第１の回路の端末に接続し、もう一つは第２の回路の端末につながるように位置合わせして搭載し、前記バンプをそれぞれ第１の回路の端末及び第２の回路の端末に接続し、第１の回路のもう一つの端末及び第２の回路のもう一つの端末は前記互いに電気的に接続された一対のバンプに夫々接続することを特徴とする請求項１に記載の小型両面回路の形成方法。
【請求項３】
第１および第２の回路が直列につながるアンテナ回路であることを特徴とする請求項１または２に記載の小型両面回路の形成方法。
【発明の詳細な説明】
【０００１】
【発明の属する技術分野】
本発明は小型両面回路の形成方法に関し、更に詳しくは基材の片面に第１の回路を備え、反対側の面に第２の回路を備え、両回路はＩＣ回路を介して連続している小型両面回路の形成方法に関する。
【０００２】
【従来の技術】
従来よりＲＦＩＤデータキャリアはコイル状のアンテナ回路とアンテナ回路に搭載したＩＣたチップにより構成される。その場合において、一般にコイル状に形成した回線の始端と終端を基材の裏面を接続して回路の形成すると共に回路の途中にＩＣチップ搭載部を形成しアンテナ回路とＩＣ回路を電気的に接続してＲＦＩＤデータキャリアパターンを形成していた。
【０００３】
また、基材の両面にコイル状の回線を形成する場合には、表裏のコイル状回線を直列に接続し、直列に接続した回線の始端と終端を電気的に接続して回路を形成すると共に回路の途中にＩＣチップ搭載部を形成しアンテナ回路とＩＣ回路を電気的に接続してＲＦＩＤデータキャリアパターンを形成していた。
【０００４】
また、ＩＣチップの搭載はベアチップ実装、即ち、ベア（裸）のＩＣを実装基板に実装する実装技術によりアンテナ回路に接続されていた。ベアチップ実装の接続技術は、ワイヤボンディング方式とフリップチップ方式がある。接続後に信頼性を確保するために樹脂封止が行われる。
【０００５】
ベアチップ実装は、電子部品を小型、薄型、軽量化するために使用される。さらにベアチップ実装は、パッケージ品と比べ高密度実装が可能である。ＩＣと回路基板の接続距離を短くでき、より高速なシステムへ対応できる。従って、電卓、時計、携帯機器などの汎用品から、高速のコンピュータ向けまでの幅広い範囲で適用されている。
【０００６】
しかしながら従来のフリップチップは、ＩＣチップの電極パッド上に突起状電極（バンプ）を形成し、相対する基板上の電極パッドに対して位置合わせして実装するように構成されたもので、ＩＣチップを回路に接続する手段しか備えていないもので、基材の表裏に形成した２つの回線を電気的に接続する手段は備えていない。
【０００７】
【発明が解決しようとする課題】
本発明の目的は表裏の回線を接続してアンテナ回路を形成することと、アンテナ回路にＩＣ回路を接続することを同時に行うことができる小型両面回路の形成方法を提供することである。
【０００８】
【課題を解決するための手段】
請求項１に記載の発明は、上記の課題の解決するもので、基材の片面に第１の回路を備え、反対側の面に第２の回路を備え、両回路はＩＣ回路を介して連続している小型両面回路の形成方法であって、４つのバンプ（Ａ，Ｂ，イ，ロ）を備え、そのうちの一対のバンプ（イ，ロ）は互いに電気的に接続されており、残り一対のバンプ（Ａ，Ｂ）の各々はその端子部につながるＩＣチップを用い、第１の回路の一方の端末をＩＣチップの端子部につながる一対のバンプのうちの一つ（Ａ）に接続し、他方の端末を前記互いに電気的に接続された一対のバンプのうちの一つ（イ）に接続し、第２の回路の一方の端末をＩＣチップの端子部につながる一対のバンプのうちの残りの一つ（Ｂ）に接続し、他方の端末を前記互いに電気的に接続された一対のバンプのうちの残りの一つ（Ｂ）に接続することを特徴とする。
【０００９】
本発明の方法において、フレキシブル基板の両面に金属層を積層してなる母材を用意し、フォトエッチング法により一方の面に第１の回路を形成すると共に反対側の面に第２の回路を形成し、第１の回路の両端末に対応する位置に反対面側から前記端末に至るスルーホールをドライエッチングまたはウェットエッチングのうちの何れかの方法により形成し、第２の回路を設けた側からＩＣチップを、ＩＣチップの電極パッド上に形成されたバンプの一つはスルーホールを介して第１の回路の端末に接続し、もう一つは第２の回路の端末につながるように位置合わせして搭載し、前記バンプをそれぞれ第１の回路の端末及び第２の回路の端末に接続し、第１の回路のもう一つの端末及び第２の回路のもう一つの端末は前記互いに電気的に接続された一対のバンプに夫々接続することにより、表裏の回線の接続とアンテナ回路にＩＣチップを接続することを同時に行うことができる。
【００１０】
【発明の実施の形態】
以下図面を用いて本発明について詳細に説明する。
【００１１】
図１は本発明の方法において用いるＩＣチップ１の背面図を示す。このＩＣチップ１は４つのバンプ（Ａ，Ｂ，イ，ロ）を備え、そのうちの一対のバンプ（イ，ロ）は互いにワイヤ２を介して電気的に接続されており、残り一対のバンプ（Ａ，Ｂ）はＩＣチップの端子部につながるものである。尚、イとロの接続はＩＣ回路内の導通によってもよい。
【００１２】
図２は図１に示すＩＣチップを用いて表裏の回線を接続してアンテナ回路を形成することと、アンテナ回路にＩＣ回路を接続することを同時に行った状態を示す。ＩＣチップ１のバンプ（Ａ）は第１の回路（表回路）の一方の端末４ａにスルーホール６を通して接続され、バンプ（Ｂ）は第２の回路（裏回路）の端末５ａに接続されている。また、第２の回路の他方の端末（図示せず）は図示しないバンプ（イ）に接続される。一方、第１の回路の他方の端末４ｂはバンプ（イ）に電気的に接続されたバンプ（ロ）にスルーホール７を通して接続され、図３に示すような回路が形成される。
【００１３】
図４及び図５は第１の回路及び第２の回路の一例を示す。尚、図面において８はアンテナコイルの内側の領域を示す。
【００１４】
以上述べたように本発明の方法によればＩＣチップを搭載し、接続するだけで表裏の回線を接続してアンテナ回路を形成することと、アンテナ回路にＩＣ回路を接続することを同時に行うことができる。
【００１５】
図６は基材の表裏に第１の回路及び第２の回路を形成する過程を示す。
ＰＥＴ、ＰＩ等の絶縁性プラスチックフィルムからなる基材３の両面に銅箔、アルミニウム箔等の金属２１を積層した母材２２を用意する（図６（ａ））。次いで、この母材２２の両面にレジストパターン２３，２４を取り付け（図６（ｂ））、ウエットエッチングによりエッチングした後レジストを剥離して第１の回路４及び第２の回路５を形成する（図６（ｃ））。最後に、エキシマレーザ、インパクト炭酸ガスレーザによりスルーホール６、７を形成する（図６（ｄ））。
【００１６】
【発明の効果】
以上詳細に説明したように、本発明の方法によれば、４つのバンプ（Ａ，Ｂ，イ，ロ）を備え、そのうちの一対のバンプ（イ，ロ）は互いに電気的に接続されており、残り一対のバンプ（Ａ，Ｂ）の各々はその端子部につながるＩＣチップを用い、第１の回路の一方の端末をＩＣチップの端子部につながる一対のバンプのうちの一つ（Ａ）に接続し、他方の端末を前記互いに電気的に接続された一対のバンプのうちの一つ（イ）に接続し。第２の回路の一方の端末をＩＣチップの端子部につながる一対のバンプのうちの残りの一つ（Ｂ）に接続し、他方の端末を前記互いに電気的に接続された一対のバンプのうちの残りの一つ（Ｂ）に接続することにより、表裏の回線を接続してアンテナ回路を形成することと、アンテナ回路にＩＣチップを接続することを同時に行うことができる。
【図面の簡単な説明】
【図１】  本発明の方法において用いるＩＣチップの背面図である。
【図２】  本発明の方法によって表裏の回線を接続してアンテナ回路を形成し、同時にアンテナ回路にＩＣチップを接続した状態を示す略図である。
【図３】  本発明の方法により形成した回路の回路図である。
【図４】  第１の回路の平面図である。
【図５】  第２の回路の平面図である。
【図６】  第１及び第２の回路の形成過程を示す。
【符号の説明】
１  ＩＣチップ
Ａ，Ｂ，イ，ロ  バンプ
２  ワイヤ
３  基材
４ａ、４ｂ  第１の回路の端末
５ａ、５ｂ  第２の回路の端末
６、７  スルーホール
３  基材
２１  金属
２２  母材
２３、２４  レジストパターン
４  第１の回路
５  第２の回路
【図１】
0004835892.tif 000002
【図２】
0004835892.tif 000003
【図３】
0004835892.tif 000004
【図４】
0004835892.tif 000005
【図５】
0004835892.tif 000006
【図６】
0004835892.tif 000007